(57)【要約】【課題】利用者が病原体を保有していないことを精度良く判定することができる病原体情報管理システムを提供する。【解決手段】病原体情報管理システム２は、病原体センサ４、情報端末６及び制御機器８を備える。病原体センサ４は、利用者１０が病原体を保有しているか否かを検出する検出部１８と、検出部１８により利用者１０が病原体を保有していないと検出された場合に、検出部１８による検出結果と第１の生体認証情報とが対応付けられた病原体情報を生成する生成部２１とを有する。制御機器８は、情報端末６からの病原体情報を受信する通信部５６と、病原体情報に含まれる第１の生体認証情報と第２の生体認証情報とを照合することにより利用者１０の本人認証を行い、本人認証に成功した場合に、利用者１０が病原体を保有していないことを判定する判定部５１とを有する。【選択図】図１
2020080083.tif 000002
【特許請求の範囲】
【請求項１】
利用者により操作される情報端末と、前記情報端末と通信可能な病原体センサ及び制御機器と、を備える病原体情報管理システムであって、
前記病原体センサは、
前記利用者が病原体を保有しているか否かを検出する検出部と、
前記利用者の第１の生体認証情報を取得する第１の取得部と、
前記検出部により前記利用者が前記病原体を保有していないと検出された場合に、前記検出部による検出結果と前記第１の生体認証情報とが対応付けられた病原体情報を生成する生成部と、
前記病原体情報を前記情報端末に送信するセンサ送信部と、を有し、
前記情報端末は、
前記病原体センサからの前記病原体情報を受信する端末受信部と、
受信された前記病原体情報を記憶装置に記憶させる記憶処理部と、
前記記憶装置に記憶された前記病原体情報を前記制御機器に送信する端末送信部と、を有し、
前記制御機器は、
前記情報端末からの前記病原体情報を受信する機器受信部と、
前記利用者の第２の生体認証情報を取得する第２の取得部と、
前記病原体情報に含まれる前記第１の生体認証情報と取得された前記第２の生体認証情報とを照合することにより前記利用者の本人認証を行い、前記本人認証に成功した場合に、前記利用者が前記病原体を保有していないことを判定する判定部と、を有する
病原体情報管理システム。
【請求項２】
前記検出部は、前記利用者から採取した呼気中に前記病原体が含まれるか否かを検出する
請求項１に記載の病原体情報管理システム。
【請求項３】
前記制御機器は、前記利用者の通行を規制するための入門ゲートの開閉を制御する機器であり、
前記制御機器は、さらに、前記判定部により前記利用者が前記病原体を保有していないことを判定された場合に、前記入門ゲートを閉から開に動作させる制御部を有する
請求項１又は２に記載の病原体情報管理システム。
【請求項４】
前記生成部は、前記病原体情報の有効期限を設定する
請求項１〜３のいずれか１項に記載の病原体情報管理システム。
【請求項５】
前記情報端末は、さらに、前記有効期限が切れる前に、前記利用者に対して前記有効期限が近付いている旨を通知する有効期限通知部を有する
請求項４に記載の病原体情報管理システム。
【請求項６】
前記記憶処理部は、前記病原体情報の前記有効期限が切れた際に、当該病原体情報を前記記憶装置から消去する
請求項４又は５に記載の病原体情報管理システム。
【請求項７】
前記第１の生体認証情報及び前記第２の生体認証情報の各々は、前記利用者の顔を撮影した画像である
請求項１〜６のいずれか１項に記載の病原体情報管理システム。
【請求項８】
前記病原体センサは、さらに、前記検出部により前記利用者が前記病原体を保有していると検出された場合に、前記利用者に対して医療機関での受診を促す旨を通知する受診通知部を有する
請求項１〜７のいずれか１項に記載の病原体情報管理システム。
【請求項９】
利用者により操作される情報端末と、前記情報端末と通信可能な病原体センサ及び制御機器と、を備える病原体情報管理システムにおける病原体情報管理方法であって、
（ａ）前記病原体センサにおいて、前記利用者が病原体を保有しているか否かを検出するステップと、
（ｂ）前記病原体センサにおいて前記利用者の第１の生体認証情報を取得するステップと、
（ｃ）前記（ａ）で前記利用者が前記病原体を保有していないと検出された場合に、前記病原体センサにおいて当該検出結果と前記第１の生体認証情報とが対応付けられた病原体情報を生成するステップと、
（ｄ）前記病原体情報を前記病原体センサから前記情報端末に送信するステップと、
（ｅ）前記情報端末で受信された前記病原体情報を記憶装置に記憶させるステップと、
（ｆ）前記記憶装置に記憶された前記病原体情報を前記情報端末から前記制御機器に送信するステップと、
（ｇ）前記制御機器において前記利用者の第２の生体認証情報を取得するステップと、
（ｈ）前記制御機器において、前記病原体情報に含まれる前記第１の生体認証情報と取得された前記第２の生体認証情報とを照合することにより前記利用者の本人認証を行い、前記本人認証に成功した場合に、前記利用者が前記病原体を保有していないことを判定するステップと、を含む
病原体情報管理方法。
【請求項１０】
利用者が病原体を保有しているか否かを検出し且つ当該検出結果に基づいて病原体情報を生成するための病原体センサ、及び、前記病原体情報に基づいて前記利用者が前記病原体を保有していないと判定するための制御機器と通信可能であり、前記利用者により操作される情報端末であって、
前記病原体センサにより前記利用者が前記病原体を保有していないと検出された場合に、当該検出結果と前記病原体センサにおいて取得された前記利用者の第１の生体認証情報とが対応付けられた前記病原体情報を、前記病原体センサから受信する端末受信部と、
受信された前記病原体情報を記憶装置に記憶させる記憶処理部と、
前記制御機器において、前記病原体情報に含まれる前記第１の生体認証情報と前記制御機器において取得された前記利用者の第２の生体認証情報とを照合することにより前記利用者の本人認証を行い、且つ、前記本人認証に成功した場合に、前記利用者が前記病原体を保有していないことを判定するために、前記記憶装置に記憶された前記病原体情報を前記制御機器に送信する端末送信部と、を備える
情報端末。
【発明の詳細な説明】
【技術分野】
【０００１】
本開示は、利用者が病原体を保有していないことを判定するための病原体情報管理システム、病原体情報管理方法及び情報端末に関する。
【背景技術】
【０００２】
従来、利用者のカードＩＤ番号又は指紋等の生体情報を用いて利用者の本人認証を行うことにより、施設等への利用者の入場を管理する管理システムが知られている（例えば特許文献１参照）。この管理システムでは、本人認証に成功した場合に利用者の入場を許可し、入門ゲートを閉から開に動作させる。
【０００３】
また、利用者の発熱を感知するためのセンサを用いて、利用者の施設等への入場を管理する管理システムが知られている（例えば特許文献２参照）。この管理システムでは、例えば利用者がインフルエンザウイルス等に感染して高熱を発していることにより、センサにより利用者の発熱が感知された場合に、当該利用者の施設等への入場を禁止する。
【先行技術文献】
【特許文献】
【０００４】
【特許文献１】特開２００６−１９５８８１号公報
【特許文献２】特開２０１１−２０４０６２号公報
【発明の概要】
【発明が解決しようとする課題】
【０００５】
しかしながら、上記特許文献１に開示された管理システムでは、利用者のカードＩＤ番号又は指紋等の生体情報による利用者の本人認証だけでは、利用者がインフルエンザウイルス等の病原体を保有していないことを判定することができない。また、上記特許文献２に開示された管理システムでは、利用者がインフルエンザウイルス等の病原体に感染していても、当該利用者に発熱の症状が出ていない場合には、当該利用者の施設等への入場が許可されてしまうおそれがある。
【０００６】
このように、上述した従来の管理システムでは、利用者が病原体を保有していないことを精度良く判定することができない。これにより、例えば介護老人保健施設等のように、免疫力の弱い高齢者等が多数入居している施設に外部から病原体が持ち込まれてしまうおそれが生じる。そのため、施設等に外部から病原体が持ち込まれるのを確実に阻止することができる管理システムの実現が要望されている。
【０００７】
そこで、本開示は、利用者が病原体を保有していないことを精度良く判定することができる病原体情報管理システム、病原体情報管理方法及び情報端末を提供する。
【課題を解決するための手段】
【０００８】
本開示の一態様に係る病原体情報管理システムは、利用者により操作される情報端末と、前記情報端末と通信可能な病原体センサ及び制御機器と、を備える病原体情報管理システムであって、前記病原体センサは、前記利用者が病原体を保有しているか否かを検出する検出部と、前記利用者の第１の生体認証情報を取得する第１の取得部と、前記検出部により前記利用者が前記病原体を保有していないと検出された場合に、前記検出部による検出結果と前記第１の生体認証情報とが対応付けられた病原体情報を生成する生成部と、前記病原体情報を前記情報端末に送信するセンサ送信部と、を有し、前記情報端末は、前記病原体センサからの前記病原体情報を受信する端末受信部と、受信された前記病原体情報を記憶装置に記憶させる記憶処理部と、前記記憶装置に記憶された前記病原体情報を前記制御機器に送信する端末送信部と、を有し、前記制御機器は、前記情報端末からの前記病原体情報を受信する機器受信部と、前記利用者の第２の生体認証情報を取得する第２の取得部と、前記病原体情報に含まれる前記第１の生体認証情報と取得された前記第２の生体認証情報とを照合することにより前記利用者の本人認証を行い、前記本人認証に成功した場合に、前記利用者が前記病原体を保有していないことを判定する判定部と、を有する。
【０００９】
なお、これらの包括的又は具体的な態様は、装置、方法、集積回路、コンピュータプログラム又はコンピュータ読み取り可能なＣＤ−ＲＯＭなどの記録媒体で実現されてもよく、装置、方法、集積回路、コンピュータプログラム及び記録媒体の任意な組み合わせで実現されてもよい。
【発明の効果】
【００１０】
本開示の一態様に係る病原体情報管理システム等によれば、利用者が病原体を保有していないことを精度良く判定することができる。
【図面の簡単な説明】
【００１１】
【図１】実施の形態１に係る病原体情報管理システムの概要を示す図である。
【図２】実施の形態１に係る病原体情報管理システムの機能構成を示すブロック図である。
【図３】実施の形態１に係る病原体情報管理システムの全体処理を示すシーケンス図である。
【図４】実施の形態１に係る情報端末の表示部に表示された病原体情報画面の一例を示す図である。
【図５】実施の形態１に係る病原体センサの処理の流れを示すフローチャートである。
【図６】実施の形態１に係る制御機器の処理の流れを示すフローチャートである。
【図７】実施の形態２に係る病原体情報管理システムの機能構成を示すブロック図である。
【図８】実施の形態２に係る病原体情報管理システムの全体処理を示すシーケンス図である。
【発明を実施するための形態】
【００１２】
本開示の一態様に係る病原体情報管理システムは、利用者により操作される情報端末と、前記情報端末と通信可能な病原体センサ及び制御機器と、を備える病原体情報管理システムであって、前記病原体センサは、前記利用者が病原体を保有しているか否かを検出する検出部と、前記利用者の第１の生体認証情報を取得する第１の取得部と、前記検出部により前記利用者が前記病原体を保有していないと検出された場合に、前記検出部による検出結果と前記第１の生体認証情報とが対応付けられた病原体情報を生成する生成部と、前記病原体情報を前記情報端末に送信するセンサ送信部と、を有し、前記情報端末は、前記病原体センサからの前記病原体情報を受信する端末受信部と、受信された前記病原体情報を記憶装置に記憶させる記憶処理部と、前記記憶装置に記憶された前記病原体情報を前記制御機器に送信する端末送信部と、を有し、前記制御機器は、前記情報端末からの前記病原体情報を受信する機器受信部と、前記利用者の第２の生体認証情報を取得する第２の取得部と、前記病原体情報に含まれる前記第１の生体認証情報と取得された前記第２の生体認証情報とを照合することにより前記利用者の本人認証を行い、前記本人認証に成功した場合に、前記利用者が前記病原体を保有していないことを判定する判定部と、を有する。
【００１３】
本態様によれば、病原体センサの生成部は、検出部により利用者が病原体を保有していないと検出された場合に、当該検出結果と利用者の第１の生体認証情報とが対応付けられた病原体情報を生成する。このように、生成部は検出部による検出結果に基づいて病原体情報を生成するので、利用者が病原体を保有していないことの認証情報である病原体情報の信頼性を担保することができる。また、制御機器の判定部は、病原体情報に含まれる第１の生体認証情報と取得された第２の生体認証情報とを照合することにより利用者の本人認証を行い、本人認証に成功した場合に、利用者が病原体を保有していないことを判定する。これにより、第三者による利用者本人のなりすましを阻止しながら、利用者が病原体を保有していないことを精度良く判定することができる。
【００１４】
また、前記検出部は、前記利用者から採取した呼気中に前記病原体が含まれるか否かを検出するように構成してもよい。
【００１５】
本態様によれば、利用者の呼気を採取するという簡易な方法で、採取した呼気中に病原体が含まれるか否かを検出することができる。
【００１６】
また、前記制御機器は、前記利用者の通行を規制するための入門ゲートの開閉を制御する機器であり、前記制御機器は、さらに、前記判定部により前記利用者が前記病原体を保有していないことを判定された場合に、前記入門ゲートを閉から開に動作させる制御部を有するように構成してもよい。
【００１７】
本態様によれば、制御機器の判定部により利用者が病原体を保有していないことを判定された場合に、利用者は入門ゲートの通行を許可される。したがって、入門ゲートを例えば施設等に設置することにより、当該施設等に外部から病原体が持ち込まれるのを阻止することができる。
【００１８】
また、前記生成部は、前記病原体情報の有効期限を設定するように構成してもよい。
【００１９】
本態様によれば、病原体センサの検出部により利用者が病原体を保有しないと検出された時点よりも後に、利用者が病原体に感染する可能性を考慮して、病原体情報の有効期限を設定することにより、利用者が病原体を保有していないことの認証情報である病原体情報の信頼性をより一層高めることができる。
【００２０】
また、前記情報端末は、さらに、前記有効期限が切れる前に、前記利用者に対して前記有効期限が近付いている旨を通知する有効期限通知部を有するように構成してもよい。
【００２１】
本態様によれば、利用者が病原体情報の有効期限を徒過したことに気付かないままでいるのを回避することができる。
【００２２】
また、前記記憶処理部は、前記病原体情報の前記有効期限が切れた際に、当該病原体情報を前記記憶装置から消去するように構成してもよい。
【００２３】
本態様によれば、記憶装置の記憶容量を節約することができる。
【００２４】
また、前記第１の生体認証情報及び前記第２の生体認証情報の各々は、前記利用者の顔を撮影した画像であるように構成してもよい。
【００２５】
本態様によれば、利用者の本人認証を容易に且つ確実に行うことができる。
【００２６】
また、前記病原体センサは、さらに、前記検出部により前記利用者が前記病原体を保有していると検出された場合に、前記利用者に対して医療機関での受診を促す旨を通知する受診通知部を有するように構成してもよい。
【００２７】
本態様によれば、利用者に対して医療機関での受診を促すことにより、病原体の感染拡大を抑制することができる。
【００２８】
また、本開示の一態様に係る病原体情報管理方法は、利用者により操作される情報端末と、前記情報端末と通信可能な病原体センサ及び制御機器と、を備える病原体情報管理システムにおける病原体情報管理方法であって、（ａ）前記病原体センサにおいて、前記利用者が病原体を保有しているか否かを検出するステップと、（ｂ）前記病原体センサにおいて前記利用者の第１の生体認証情報を取得するステップと、（ｃ）前記（ａ）で前記利用者が前記病原体を保有していないと検出された場合に、前記病原体センサにおいて当該検出結果と前記第１の生体認証情報とが対応付けられた病原体情報を生成するステップと、（ｄ）前記病原体情報を前記病原体センサから前記情報端末に送信するステップと、（ｅ）前記情報端末で受信された前記病原体情報を記憶装置に記憶させるステップと、（ｆ）前記記憶装置に記憶された前記病原体情報を前記情報端末から前記制御機器に送信するステップと、（ｇ）前記制御機器において前記利用者の第２の生体認証情報を取得するステップと、（ｈ）前記制御機器において、前記病原体情報に含まれる前記第１の生体認証情報と取得された前記第２の生体認証情報とを照合することにより前記利用者の本人認証を行い、前記本人認証に成功した場合に、前記利用者が前記病原体を保有していないことを判定するステップと、を含む。
【００２９】
本態様によれば、病原体センサにおいて、利用者が病原体を保有していないと検出された場合に、当該検出結果と利用者の第１の生体認証情報とが対応付けられた病原体情報を生成する。このように、病原体センサによる検出結果に基づいて病原体情報を生成するので、利用者が病原体を保有していないことの認証情報である病原体情報の信頼性を担保することができる。また、制御機器において、病原体情報に含まれる第１の生体認証情報と取得された第２の生体認証情報とを照合することにより利用者の本人認証を行い、本人認証に成功した場合に、利用者が病原体を保有していないことを判定する。これにより、第三者による利用者本人のなりすましを阻止しながら、利用者が病原体を保有していないことを精度良く判定することができる。
【００３０】
さらに、本開示の一態様に係る情報端末は、利用者が病原体を保有しているか否かを検出し且つ当該検出結果に基づいて病原体情報を生成するための病原体センサ、及び、前記病原体情報に基づいて前記利用者が前記病原体を保有していないと判定するための制御機器と通信可能であり、前記利用者により操作される情報端末であって、前記病原体センサにより前記利用者が前記病原体を保有していないと検出された場合に、当該検出結果と前記病原体センサにおいて取得された前記利用者の第１の生体認証情報とが対応付けられた前記病原体情報を、前記病原体センサから受信する端末受信部と、受信された前記病原体情報を記憶装置に記憶させる記憶処理部と、前記制御機器において、前記病原体情報に含まれる前記第１の生体認証情報と前記制御機器において取得された前記利用者の第２の生体認証情報とを照合することにより前記利用者の本人認証を行い、且つ、前記本人認証に成功した場合に、前記利用者が前記病原体を保有していないことを判定するために、前記記憶装置に記憶された前記病原体情報を前記制御機器に送信する端末送信部と、を備える。
【００３１】
本態様によれば、利用者により操作される情報端末を用いることにより、利用者が病原体を保有していないことを精度良く判定することができる。
【００３２】
なお、これらの包括的又は具体的な態様は、装置、方法、集積回路、コンピュータプログラム又はコンピュータ読み取り可能なＣＤ−ＲＯＭなどの記録媒体で実現されてもよく、装置、方法、集積回路、コンピュータプログラム及び記録媒体の任意な組み合わせで実現されてもよい。
【００３３】
以下、実施の形態について、図面を参照しながら説明する。
【００３４】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００３５】
（実施の形態１）
［１−１．病原体情報管理システムの概要］
まず、図１を参照しながら、実施の形態１に係る病原体情報管理システム２の概要について説明する。図１は、実施の形態１に係る病原体情報管理システム２の概要を示す図である。
【００３６】
図１に示すように、病原体情報管理システム２は、病原体センサ４と、情報端末６と、制御機器８とを備えている。情報端末６は、例えばＷｉＦｉ（登録商標）又はブルートゥース（登録商標）等により、病原体センサ４及び制御機器８の各々と無線通信可能である。なお、情報端末６は、病原体センサ４及び制御機器８の各々とＵＳＢ（Ｕｎｉｖｅｒｓａｌ  Ｓｅｒｉａｌ  Ｂｕｓ）ケーブル等により有線通信するようにしてもよい。
【００３７】
病原体センサ４は、利用者１０が病原体を保有しているか否かを検出するためのセンサである。具体的には、病原体センサ４は、利用者１０の呼気を採取し、採取した呼気中における病原体の有無を検出するための呼気型病原体センサである。本実施の形態では、病原体がインフルエンザウイルスである場合について説明する。病原体センサ４は、例えば、ａ）各家庭、ｂ）市役所又は病院等の公共施設、ｃ）電車の駅又は空港のターミナルビル等の公共交通機関の施設等に複数設置されている。
【００３８】
なお、病原体情報管理システム２は、各所に設置された複数の病原体センサ４の各状態を管理するための管理サーバ（図示せず）を備えていてもよい。これにより、例えばメンテナンス会社の担当者は、管理サーバにより複数の病原体センサ４の各状態を定期的にチェックすることにより、病原体センサ４のメンテナンス等をスムーズに行うことができる。
【００３９】
病原体センサ４は、利用者１０が病原体を保有していないと検出した場合に、利用者１０が病原体を保有していないことの認証情報である病原体情報を生成し、生成した病原体情報を情報端末６に送信する。ここで、病原体情報とは、病原体センサ４による検出結果（すなわち、利用者１０が病原体を保有していないという検出結果）と、情報端末６から取得した利用者１０の顔を撮影した画像（第１の生体認証情報の一例）とが対応付けられたデータである。
【００４０】
なお、本実施の形態では、病原体がインフルエンザウイルスである場合について説明するが、これに限定されない。本明細書では、病原体とは、例えば、ａ）ＳＡＲＳ（重症急性呼吸器症候群：Ｓｅｖｅｒｅ  Ａｃｕｔｅ  Ｒｅｓｐｉｒａｔｏｒｙ  Ｓｙｎｄｒｏｍｅ）ウイルス、ＭＥＲＳ（中東呼吸器症候群：Ｍｉｄｄｌｅ  Ｅａｓｔ  Ｒｅｓｐｉｒａｔｏｒｙ  Ｓｙｎｄｒｏｍｅ）ウイルス又はノロウイルス等の病原性ウイルス、ｂ）結核菌又は大腸菌等の病原性細菌を含む概念である。
【００４１】
情報端末６は、利用者１０により操作されるモバイル端末であり、例えばスマートフォン、タブレット端末又はノート型パーソナルコンピュータ等である。情報端末６は、カメラ機能を有しており、病原体センサ４からの要求に応じて、利用者１０の顔を撮影した画像を病原体センサ４に送信する。また、情報端末６は、病原体センサ４から送信されてきた病原体情報を、情報端末６の内部メモリである記憶部３４（図２参照）に記憶する。情報端末６は、制御機器８からの要求に応じて、記憶部３４に記憶された病原体情報を制御機器８に送信する。
【００４２】
制御機器８は、入門ゲート１２の開閉を制御するための機器であり、例えば入門ゲート１２の近傍に配置されている。入門ゲート１２は、例えば介護老人保健施設又は病院等の建物のエントランスに設置されており、利用者１０の建物内への入場を規制するために普段は閉じられている。制御機器８は、利用者１０の顔を撮影するためのカメラ１４を有している。
【００４３】
利用者１０が入門ゲート１２に近付いた際に、カメラ１４により利用者１０の顔が撮影されるとともに、情報端末６から制御機器８に病原体情報が送信される。制御機器８は、カメラ１４により撮影された利用者１０の顔の画像（第２の生体認証情報の一例）と、病原体情報に含まれる利用者１０の顔の画像とを照合することにより利用者１０の本人認証を行う。
【００４４】
制御機器８は、本人認証に成功した場合には、利用者１０が病原体を保有していないと判定し、入門ゲート１２を閉から開に動作させる。これにより、利用者１０は入門ゲート１２を通行することができ、利用者１０の建物内への入場が許可される。一方、制御機器８は、本人認証に失敗した場合には、入門ゲート１２を閉に維持する。これにより、利用者１０は入門ゲート１２を通行することができず、利用者１０の建物内への入場が禁止される。
【００４５】
［１−２．病原体センサの機能構成］
次に、図１及び図２を参照しながら、病原体センサ４の機能構成について説明する。図２は、実施の形態１に係る病原体情報管理システム２の機能構成を示すブロック図である。
【００４６】
図２に示すように、病原体センサ４は、呼気採取部１６と、検出部１８と、取得部２０（第１の取得部の一例）と、生成部２１と、表示部２２（受診通知部の一例）と、入力部２４と、通信部２６（センサ送信部の一例）とを備える。
【００４７】
呼気採取部１６は、利用者１０から呼気を採取するためのものである。例えば図１に示すように、呼気採取部１６は、病原体センサ４の筐体２８の上面に設けられた複数の吸入口３０を有する。利用者１０が複数の吸入口３０に息を吹き込むことにより、利用者１０の呼気が複数の吸入口３０を通して、筐体２８の内部に配置された検出部１８に送られる。
【００４８】
あるいは、このような構成に代えて、呼気採取部１６は、利用者１０の口元を覆うためのコーン状のマスク部材と、マスク部材に接続されたフレキシブルなチューブ部材とを有していてもよい。利用者１０がマスク部材で口元を覆った状態で息を吹き込むことにより、利用者１０の呼気がチューブ部材を通して検出部１８に送られる。なお、呼気採取部１６は、呼気の採取を補助するための吸気ファン等を有していてもよい。
【００４９】
検出部１８は、利用者１０が病原体を保有しているか否かを検出するためのものである。具体的には、検出部１８は、呼気採取部１６により採取された呼気中のウイルス濃度を測定することにより、呼気中に病原体が含まれるか否かを検出する。なお、検出部１８は、例えばイムノクロマトグラフィー等の公知技術を用いることにより、ウイルス濃度を測定することができる。
【００５０】
取得部２０は、生成部２１が病原体情報を生成する際に、通信部２６を介して、情報端末６から送信されてきた利用者１０の顔を撮影した画像を取得する。取得部２０は、取得した画像を生成部２１に出力する。
【００５１】
生成部２１は、検出部１８により利用者１０が病原体を保有していないと検出された場合に、病原体情報を生成する。この時、生成部２１は、病原体情報の有効期限（例えば１２時間）を設定する。なお、生成部２１は、病原体センサ４の各構成要素の動作を制御するための処理部としても機能する。
【００５２】
一般に、例えば人がインフルエンザウイルスに感染した場合、感染してから１日乃至２日で咳及び発熱等の症状が出ると言われている。そのため、検出部１８により呼気中にインフルエンザウイルスが検出されなかった場合には、検出時点から半日以内であれば、周囲にインフルエンザウイルスの感染が拡大するリスクは極めて少ないと考えられる。したがって、生成部２１は、病原体情報の有効期限として、半日（１２時間）を設定することが望ましい。なお、病原体情報の有効期限が切れた場合には、利用者１０は、情報端末６の記憶部３４（後述する）に記憶された病原体情報を使用することができなくなる。
【００５３】
表示部２２は、例えば、液晶ディスプレイ又は有機ＥＬ（Ｅｌｅｃｔｒｏ  Ｌｕｍｉｎｅｓｃｅｎｃｅ）ディスプレイ等で構成されている。表示部２２は、生成部２１の指示に従って各種情報を表示する。具体的には、表示部２２は、検出部１８により利用者１０が病原体を保有していると検出された場合に、利用者１０に対して医療機関での受診を促す旨を通知するための通知画面を表示する。
【００５４】
入力部２４は、例えばキーボード等で構成されている。入力部２４は、利用者１０による指示を受け付け、入力信号を生成部２１に出力する。なお、表示部２２と入力部２４とを一体化してタッチパネルディスプレイを構成してもよい。この場合、利用者１０は、表示部２２の画面をタッチすることにより、表示部２２の画面から情報を入力することができる。
【００５５】
通信部２６は、例えばネットワークアダプタ等で構成されている。通信部２６は、生成部２１の指示に従って、情報端末６との間で各種データを送受信する。具体的には、通信部２６は、情報端末６に対して写真撮影を要求するための写真撮影要求信号、及び、生成部２１により生成された病原体情報を情報端末６に送信する。また、通信部２６は、情報端末６からの利用者１０の顔を撮影した画像、及び、情報端末６からの検出開始要求信号（後述する）を受信し、受信した画像及び検出開始要求信号をそれぞれ取得部２０及び生成部２１に出力する。
【００５６】
［１−３．情報端末の機能構成］
次に、図２を参照しながら、情報端末６の機能構成について説明する。図２に示すように、情報端末６は、撮影部３２と、記憶部３４（記憶装置の一例）と、処理部３６（記憶処理部の一例）と、表示部３８（有効期限通知部の一例）と、入力部４０と、通信部４２（端末受信部及び端末送信部の一例）とを備える。
【００５７】
撮影部３２は、画像を撮影するためのカメラである。撮影部３２は、病原体センサ４からの写真撮影要求信号に基づいて、利用者１０の顔を撮影する。
【００５８】
記憶部３４は、例えば半導体メモリ又はハードディスクドライブ等で構成されている。記憶部３４は、通信部４２により受信された病原体情報を記憶する。
【００５９】
処理部３６は、情報端末６の各構成要素の動作を制御する。具体的には、処理部３６は、通信部４２により受信された病原体情報を記憶部３４に記憶させる。また、処理部３６は、病原体情報の有効期限が切れた際に、病原体情報を記憶部３４から消去する。
【００６０】
表示部３８は、例えば、液晶ディスプレイ又は有機ＥＬディスプレイ等で構成されている。表示部３８は、処理部３６の指示に従って各種情報を表示する。具体的には、表示部３８は、通信部４２が病原体センサ４からの写真撮影要求信号を受信した際に、撮影部３２による顔写真の撮影手順、及び、病原体センサ４による検出手順等を表示する。また、表示部３８は、通信部４２が病原体センサ４からの病原体情報を受信した際に、病原体情報の内容を示す病原体情報画面４４（後述する図４参照）を表示する。この時、表示部３８は、病原体情報の取り扱い上の注意点等を表示してもよい。さらに、表示部３８は、病原体情報の有効期限が切れる前に、利用者１０に対して有効期限が近付いている旨を通知するための通知画面を表示する。
【００６１】
入力部４０は、例えばマウス又はキーボード等で構成されている。入力部４０は、利用者１０による指示を受け付け、入力信号を処理部３６に出力する。なお、表示部３８と入力部４０とを一体化してタッチパネルディスプレイを構成してもよい。この場合、利用者１０は、表示部３８の画面をタッチすることにより、表示部３８の画面から情報を入力することができる。
【００６２】
通信部４２は、例えばネットワークアダプタ等で構成されている。通信部４２は、処理部３６の指示に従って、病原体センサ４及び制御機器８の各々との間で各種データを送受信する。具体的には、通信部４２は、病原体センサ４からの写真撮影要求信号及び病原体情報、並びに、制御機器８からの送信要求信号（後述する）を受信し、受信した写真撮影要求信号、送信要求信号及び病原体情報を処理部３６に出力する。また、通信部４２は、病原体センサ４に対して病原体の有無の検出開始を要求するための検出開始要求信号、及び、撮影部３２により撮影された利用者１０の顔の画像を病原体センサ４に送信する。さらに、通信部４２は、記憶部３４に記憶された病原体情報を制御機器８に送信する。
【００６３】
［１−４．制御機器の機能構成］
次に、図２を参照しながら、制御機器８の機能構成について説明する。図２に示すように、制御機器８は、撮影部４６と、制御部４８と、取得部５０（第２の取得部の一例）と、判定部５１と、表示部５２と、入力部５４と、通信部５６（機器受信部の一例）とを備える。
【００６４】
撮影部４６は、画像を撮影するためのカメラであり、図１に示すカメラ１４に相当する。撮影部４６は、利用者１０の本人認証を行うために、入門ゲート１２（図１参照）に近付いてきた利用者１０の顔を撮影する。
【００６５】
制御部４８は、制御機器８の各構成要素の動作を制御する。また、制御部４８は、判定部５１の判定結果に基づいて、入門ゲート１２の開閉を制御する。具体的には、制御部４８は、後述するように判定部５１により利用者１０が病原体を保有していないと判定された場合に、入門ゲート１２を閉から開に動作させる。
【００６６】
取得部５０は、撮影部４６により撮影された利用者１０の顔の画像を取得する。取得部５０は、取得した画像を判定部５１に出力する。
【００６７】
判定部５１は、取得部５０により取得された利用者１０の顔の画像と、通信部５６により受信された病原体情報に含まれる利用者１０の顔の画像とを照合することにより、利用者１０の本人認証を行う。判定部５１は、本人認証に成功した（すなわち、上記の２つの画像が一致した）場合に、利用者１０が病原体を保有していないことを判定し、入門ゲート１２を閉から開に動作させるように制御部４８に指示する。なお、判定部５１は、本人認証に失敗した（すなわち、上記の２つの画像が一致しない）場合、あるいは、通信部５６が情報端末６からの病原体情報を受信しない場合には、入門ゲート１２を閉に維持するように制御部４８に指示する。
【００６８】
表示部５２は、例えば、液晶ディスプレイ又は有機ＥＬディスプレイ等で構成されている。表示部５２は、制御部４８の指示に従って、各種情報を表示する。具体的には、表示部５２は、利用者１０が入門ゲート１２に近付いた際に、撮影部４６による顔写真の撮影手順、及び、利用者１０に対して病原体情報の送信を指示するための画面を表示する。また、表示部５２は、本人認証の結果、及び、入門ゲート１２を通行するために必要な様々な手順等を表示する。
【００６９】
入力部５４は、例えばマウス又はキーボード等で構成されている。入力部５４は、利用者１０による指示を受け付け、入力信号を制御部４８及び判定部５１に出力する。なお、表示部５２と入力部５４とを一体化してタッチパネルディスプレイを構成してもよい。この場合、利用者１０は、表示部５２の画面をタッチすることにより、表示部５２の画面から情報を入力することができる。
【００７０】
通信部５６は、例えばネットワークアダプタ等で構成されている。通信部５６は、制御部４８の指示に従って、情報端末６との間で各種データを送受信する。具体的には、通信部５６は、情報端末６に対して病原体情報の送信を要求するための送信要求信号を、情報端末６に送信する。また、通信部５６は、情報端末６からの病原体情報を受信し、受信した病原体情報を判定部５１に出力する。
【００７１】
［１−５．病原体情報管理システムの動作］
［１−５−１．病原体情報管理システムの全体処理］
次に、図３及び図４を参照しながら、病原体情報管理システム２の全体処理について説明する。図３は、実施の形態１に係る病原体情報管理システム２の全体処理を示すシーケンス図である。図４は、実施の形態１に係る情報端末６の表示部３８に表示された病原体情報画面４４の一例を示す図である。
【００７２】
図３に示すシーケンス図では、利用者１０が病原体を保有していないという前提で説明する。また、実際には、病原体センサ４、情報端末６及び制御機器８はそれぞれ複数存在しているが、以下の説明では、説明の都合上、病原体センサ４、情報端末６及び制御機器８がそれぞれ１つずつ存在する場合について説明する。
【００７３】
図３に示すように、まず、情報端末６の通信部４２は、検出開始要求信号を病原体センサ４に送信する（Ｓ１０１）。病原体センサ４の通信部２６は、情報端末６からの検出開始要求信号を受信し、受信した検出要求信号に基づいて、写真撮影要求信号を情報端末６に送信する（Ｓ１０２）。
【００７４】
情報端末６の通信部４２が病原体センサ４からの写真撮影要求信号を受信することにより、情報端末６の表示部３８は、撮影部３２による顔写真の撮影手順、及び、病原体センサ４による検出手順等を表示する。この時、制御機器８による本人認証を確実に行うために、表示部３８は、利用者１０に対して帽子及びサングラス等の取り外しを促す旨のメッセージを表示してもよい。利用者１０は、表示部３８に表示された撮影手順に従って、情報端末６の撮影部３２により利用者１０自身の顔写真を撮影する（Ｓ１０３）。
【００７５】
なお、撮影部３２により撮影された利用者１０の顔の画像に帽子及びサングラス等が写っている場合には、表示部３８は、利用者１０に対して撮影のやり直しを促す旨のメッセージを表示してもよい。これに対して、利用者１０が撮影のやり直しを行わない場合には、病原体センサ４による病原体の有無の検出処理を中止してもよい。
【００７６】
情報端末６の通信部４２は、撮影部３２により撮影された利用者１０の顔の画像を病原体センサ４に送信する（Ｓ１０４）。病原体センサ４の通信部２６は、情報端末６からの利用者１０の顔の画像を受信する（Ｓ１０５）。
【００７７】
その後、利用者１０は、情報端末６の表示部３８に表示された検出手順に従って、病原体センサ４の呼気採取部１６に息を吹き込む。これにより、病原体センサ４の検出部１８は、呼気採取部１６により採取された呼気中に病原体が含まれるか否かを検出する。本実施の形態では、検出部１８は、呼気採取部１６により採取された呼気中に病原体が含まれない、すなわち、利用者１０が病原体を保有していないと検出する（Ｓ１０６）。
【００７８】
病原体センサ４の生成部２１は、検出部１８による検出結果（すなわち、利用者１０が病原体を保有していないという検出結果）と、情報端末６から取得した利用者１０の顔の画像とが対応付けられた病原体情報を生成する（Ｓ１０７）。この時、生成部２１は、病原体情報の発行日時を示す情報を病原体情報に付加するとともに、病原体情報の有効期限（例えば１２時間）を設定する。病原体センサ４の通信部２６は、生成部２１により生成された病原体情報を情報端末６に送信する（Ｓ１０８）。
【００７９】
情報端末６の通信部４２は、病原体センサ４からの病原体情報を受信する（Ｓ１０９）。情報端末６の処理部３６は、通信部４２により受信された病原体情報を記憶部３４に記憶させる（Ｓ１１０）。
【００８０】
この時、図４に示すように、情報端末６の表示部３８には、病原体情報の内容を示す病原体情報画面４４が表示される。図４に示す例では、病原体情報画面４４は、病原体情報の内容として、ａ）情報端末６により撮影された利用者１０の顔の画像４４ａ、ｂ）病原体情報の発行日時に関する情報４４ｂ（「２０１８年６月１７日９：００」）、ｃ）病原体情報の有効期限に関する情報４４ｃ（「２０１８年６月１７日２１：００」）と、ｄ）病原体の種類を示す情報４４ｄ（「インフルエンザウイルス」）、ｅ）病原体が検出されなかったことを示す情報４４ｅ（「なし（−）」）、ｆ）病原体センサ４のＩＤ番号を示す情報４４ｆ（「ＰＢＧＫ４０３３９１」）、及び、ｇ）病原体情報のＩＤ番号を示す情報４４ｇ（「２０１８０６１７０００３９１０１１」）を含んでいる。
【００８１】
図３に戻り、利用者１０は、例えば介護老人保健施設等の建物内に入場しようとする場合、当該建物のエントランスに設置された入門ゲート１２（図１参照）に歩いて近付く。この時、入門ゲート１２は閉じられており、利用者１０の建物内への入場が規制されている。制御機器８の人感センサ（図示せず）が利用者１０を感知することにより（Ｓ１１１）、制御機器８の撮影部４６（図１のカメラ１４）は、利用者１０の顔写真を撮影する（Ｓ１１２）。
【００８２】
制御機器８の通信部５６は、送信要求信号を情報端末６に送信する（Ｓ１１３）。情報端末６の通信部４２は、制御機器８からの送信要求信号を受信することにより、記憶部３４に記憶された病原体情報を制御機器８に送信する（Ｓ１１４）。
【００８３】
制御機器８の通信部５６は、情報端末６からの病原体情報を受信する（Ｓ１１５）。制御機器８の取得部５０は、撮影部４６により撮影された利用者１０の顔の画像を取得する。制御機器８の判定部５１は、取得部５０により取得された利用者１０の顔の画像と、通信部５６により受信された病原体情報に含まれる利用者１０の顔の画像とを照合することにより、利用者１０の本人認証を行う（Ｓ１１６）。判定部５１は、本人認証に成功した場合に、利用者１０が病原体を保有していないことを判定する。制御機器８の制御部４８は、判定部５１の判定結果に基づいて、入門ゲート１２を閉から開に動作させる（Ｓ１１７）。これにより、利用者１０は入門ゲート１２を通行することができ、利用者１０の建物内への入場が許可される。
【００８４】
なお、病原体情報の有効期限が切れた際には、情報端末６の処理部３６は、病原体情報を記憶部３４から消去する。あるいは、このような処理に代えて、処理部３６は、過去に記憶部３４に記憶した病原体情報の履歴を所定期間（例えば、インフルエンザウイルスの生存期間の平均値である６日間）保持してもよい。これにより、病原体情報の履歴を利用者１０の健康管理等に利用することができる。
【００８５】
また、情報端末６の表示部３８は、病原体情報の有効期限が切れる前（例えば、有効期限の１時間前）に、利用者１０に対して有効期限が近付いている旨を通知するための通知画面を表示してもよい。これにより、利用者１０が病原体情報の有効期限を徒過したことに気付かないままでいるのを回避することができる。
【００８６】
また、一般に、人がインフルエンザウイルスに感染した場合、インフルエンザウイルスの体外への排出が収まるまでに、感染してから６日程度を要すると言われている。そのため、仮に、検出部１８が採取された呼気中にインフルエンザウイルスを検出した場合には、次回の病原体センサ４による検出までに７日程度空けることが望ましい。この時、次回の病原体センサ４による検出までに７日程度空けることを利用者１０に勧める旨を、情報端末６の表示部３８に表示させてもよい。これにより、利用者１０が病原体センサ４による無駄な検出を行うのを回避することができる。
【００８７】
［１−５−２．病原体センサの処理］
次に、図５を参照しながら、図３で説明した病原体情報管理システム２の全体処理のうち、病原体センサ４の処理について詳細に説明する。図５は、実施の形態１に係る病原体センサ４の処理の流れを示すフローチャートである。
【００８８】
図５に示すように、まず、通信部２６は、情報端末６との無線接続を確立する（Ｓ２０１）。通信部２６は、情報端末６からの検出開始要求信号に基づいて、写真撮影要求信号を情報端末６に送信する（Ｓ２０２）。
【００８９】
その後、通信部２６は、情報端末６からの利用者１０の顔の画像を受信する（Ｓ２０３）。呼気採取部１６は利用者１０の呼気を採取し（Ｓ２０４）、検出部１８は、呼気採取部１６により採取された呼気の量が十分であるか否かを判定する（Ｓ２０５）。呼気採取部１６により採取された呼気の量が十分でない場合には（Ｓ２０５でＮＯ）、上述したステップＳ２０４に戻り、呼気採取部１６は利用者１０の呼気を継続して採取する。この時、病原体センサ４は、採取された呼気の量が十分でないことを利用者１０に知らせるための警告音を発してもよい。
【００９０】
一方、呼気採取部１６により採取された呼気の量が十分である場合には（Ｓ２０５でＹＥＳ）、検出部１８は、呼気採取部１６により採取された呼気中における病原体の有無の検出処理を行う（Ｓ２０６）。検出部１８は、呼気採取部１６により採取された呼気中に病原体が含まれない、すなわち、利用者１０が病原体を保有していないと検出した場合には（Ｓ２０７でＮＯ）、検出結果を生成部２１に出力する。生成部２１は、検出部１８による検出結果（すなわち、利用者１０が病原体を保有していないという検出結果）と、情報端末６から取得した利用者１０の顔の画像とが対応付けられた病原体情報を生成する（Ｓ２０８）。通信部２６は、生成部２１により生成された病原体情報を情報端末６に送信する（Ｓ２０９）。
【００９１】
なお、検出部１８が検出を開始してから生成部２１が病原体情報を生成するまでの時間が所定時間（例えば５分）を超える場合には、利用者１０は、情報端末６を持って病原体センサ４から一旦離れてもよい。この場合、生成部２１が病原体情報を生成した時点で、通信部２６は、病原体情報を電子メールに添付するなどして情報端末６に送信してもよい。
【００９２】
ステップＳ２０７に戻り、検出部１８は、呼気採取部１６により採取された呼気中に病原体が含まれる、すなわち、利用者１０が病原体を保有していると検出した場合には（Ｓ２０７でＹＥＳ）、検出結果を生成部２１に出力する。生成部２１は、検出部１８による検出結果（すなわち、利用者１０が病原体を保有しているという検出結果）に基づいて、利用者１０に対して医療機関での受診を促す旨を通知するための通知画面を、表示部２２に表示させる。この時、通知画面には、近隣の医療機関の所在地を示す地図等が表示されてもよい。
【００９３】
［１−５−３．制御機器の処理］
次に、図６を参照しながら、図３で説明した病原体情報管理システム２の全体処理のうち、制御機器８の処理について詳細に説明する。図６は、実施の形態１に係る制御機器８の処理の流れを示すフローチャートである。
【００９４】
図６に示すように、まず、制御機器８の人感センサ（図示せず）が利用者１０を感知することにより（Ｓ３０１）、撮影部４６は、利用者１０の顔写真を撮影する（Ｓ３０２）。
【００９５】
通信部５６は、情報端末６との間で無線接続を確立し（Ｓ３０３）、送信要求信号を情報端末６に送信する（Ｓ３０４）。通信部５６が情報端末６からの病原体情報を受信しない場合には（Ｓ３０５でＮＯ）、判定部５１は、利用者１０が病原体を保有しているか否かが不明であると判定し、入門ゲート１２を閉に維持するように制御部４８に指示する（Ｓ３０６）。これにより、利用者１０は入門ゲート１２を通行することができず、利用者１０の建物内への入場が禁止される。
【００９６】
ステップＳ３０５に戻り、通信部５６が情報端末６からの病原体情報を受信した場合には（Ｓ３０５でＹＥＳ）、取得部５０は、撮影部４６により撮影された利用者１０の顔の画像を取得する。判定部５１は、取得部５０により取得された利用者１０の顔の画像と、通信部５６により受信された病原体情報に含まれる利用者１０の顔の画像とを照合することにより、利用者１０の本人認証を行う（Ｓ３０７）。
【００９７】
判定部５１は、本人認証に失敗した場合には（Ｓ３０８でＮＯ）、第三者による利用者１０本人のなりすましと判定し、入門ゲート１２を閉に維持するように制御部４８に指示する（Ｓ３０６）。これにより、利用者１０は入門ゲート１２を通行することができず、利用者１０の建物内への入場が禁止される。
【００９８】
ステップＳ３０８に戻り、判定部５１は、本人認証に成功した場合には（Ｓ３０８でＹＥＳ）、利用者１０が病原体を保有していないことを判定する（Ｓ３０９）。制御部４８は、判定部５１の判定結果に基づいて、入門ゲート１２を閉から開に動作させる（Ｓ３１０）。これにより、利用者１０は入門ゲート１２を通行することができ、利用者１０の建物内への入場が許可される。
【００９９】
［１−６．効果］
上述したように、病原体センサ４の生成部２１は、検出部１８により利用者１０が病原体を保有していないと検出された場合に、当該検出結果と利用者１０の顔を撮影した画像とが対応付けられた病原体情報を生成する。このように、生成部２１は検出部１８による検出結果に基づいて病原体情報を生成するので、利用者１０が病原体を保有していないことの認証情報である病原体情報の信頼性を担保することができる。
【０１００】
また、制御機器８の判定部５１は、撮影部４６により撮影した利用者１０の顔の画像と病原体情報に含まれる利用者１０の顔の画像とを照合することにより利用者１０の本人認証を行い、本人認証に成功した場合に、利用者１０が病原体を保有していないことを判定する。これにより、第三者による利用者１０本人のなりすましを阻止しながら、利用者１０が病原体を保有していないことを精度良く判定することができる。
【０１０１】
（実施の形態２）
［２−１．病原体情報管理システムの機能構成］
次に、図７を参照しながら、実施の形態２に係る病原体情報管理システム２Ａの機能構成について説明する。図７は、実施の形態２に係る病原体情報管理システム２Ａの機能構成を示すブロック図である。なお、本実施の形態では、上記実施の形態１の構成要素と同一の構成要素には同一の符号を付して、その説明を省略する。
【０１０２】
図７に示すように、本実施の形態では、病原体情報管理システム２Ａは、病原体センサ４、情報端末６Ａ及び制御機器８に加えて、サーバ装置５８（記憶装置の一例）を備えている。サーバ装置５８は、データを記憶するためのデータベースサーバであり、情報端末６Ａとの間で無線通信可能である。
【０１０３】
情報端末６Ａの通信部４２は、処理部３６の指示に従って、サーバ装置５８との間で各種データを送受信する。また、情報端末６Ａは、上記実施の形態１で説明した記憶部３４（図２参照）に代えて、記憶処理部６０を備えている。記憶処理部６０は、病原体センサ４からの病原体情報を、通信部４２を介してサーバ装置５８に送信することにより、病原体情報をサーバ装置５８に記憶させる。また、記憶処理部６０は、制御機器８からの送信要求信号に基づいて、通信部４２を介してサーバ装置５８から病原体情報を読み出し、通信部４２を介して読み出した病原体情報を制御機器８に送信する。
【０１０４】
［２−２．病原体情報管理システムの全体処理］
次に、図８を参照しながら、病原体情報管理システム２Ａの全体処理について説明する。図８は、実施の形態２に係る病原体情報管理システム２Ａの全体処理を示すシーケンス図である。なお、図８に示すシーケンス図において、図３に示すシーケンス図の処理と同一の処理には同一のステップ番号を付して、その説明を省略する。
【０１０５】
まず、上記実施の形態１と同様に、ステップＳ１０１〜Ｓ１０９が実行される。ステップＳ１０９の後、情報端末６Ａの通信部４２は、病原体センサ４から受信した病原体情報をサーバ装置５８に送信（転送）する（Ｓ４０１）。サーバ装置５８は、情報端末６Ａからの病原体情報を記憶する（Ｓ４０２）。なお、本実施の形態では、情報端末６Ａは、病原体センサ４からの病原体情報を情報端末６Ａの内部メモリに記憶しない。
【０１０６】
その後、上記実施の形態１と同様に、ステップＳ１１１〜Ｓ１１３が実行される。ステップＳ１１３の後、情報端末６Ａの記憶処理部６０は、制御機器８からの送信要求信号に基づいて、通信部４２を介してサーバ装置５８から病原体情報を読み出し（Ｓ４０３）、通信部４２を介して読み出した病原体情報を制御機器８に送信する（Ｓ１１４）。その後、上記実施の形態１と同様に、ステップＳ１１５〜Ｓ１１７が実行される。
【０１０７】
［２−３．効果］
上述したように、本実施の形態では、病原体センサ４により生成された病原体情報を情報端末６Ａの外部のサーバ装置５８に記憶させるので、情報端末６Ａの内部メモリの記憶容量を節約することができる。
【０１０８】
（他の実施の形態）
以上、本開示の１つまたは複数の態様に係る病原体情報管理システムについて、実施の形態に基づいて説明したが、本開示は、この実施の形態に限定されるものではない。本開示の趣旨を逸脱しない限り、当業者が思いつく各種変形を本実施の形態に施したものも、本開示の１つまたは複数の態様の範囲内に含まれてもよい。
【０１０９】
上記各実施の形態では、制御機器８を、入門ゲート１２の開閉を制御するための機器として適用したが、これに限定されず、例えば鉄道、バス、航空機、船舶及びタクシー等の公共交通機関への利用者１０の乗車を規制するための機器として適用してもよい。例えば、制御機器８は、利用者１０が病原体を保有していないことを判定した場合に、当該利用者１０が鉄道の特定の車両に乗車するのを許可してもよい。
【０１１０】
上記各実施の形態では、第１の生体認証情報及び第２の生体認証情報の各々を、利用者１０の顔を撮影した画像で構成したが、これに限定されず、利用者１０の他の生体的特徴、例えば利用者１０の指紋又は虹彩等を示す情報（画像）であってもよい。
【０１１１】
また、上記各実施の形態では、病原体センサ４の生成部２１は、情報端末６（６Ａ）により撮影された利用者１０の顔の画像に基づいて病原体情報を生成したが、情報端末６（６Ａ）がカメラ機能を有していない場合には、病原体センサ４にカメラ機能を搭載するようにしてもよい。この場合、病原体センサ４の取得部２０は、当該病原体センサ４に搭載されたカメラにより撮影された利用者１０の顔の画像を取得し、生成部２１は、当該取得された利用者１０の顔の画像に基づいて、病原体情報を生成する。
【０１１２】
例えば、上記各実施の形態における生成部２１、処理部３６、制御部４８及び判定部５１の各々は、専用の電子回路によって実現されてもよい。専用の電子回路は、１個のチップ上に集積されてもよいし、複数のチップ上に形成されてもよい。また、生成部２１、処理部３６、制御部４８及び判定部５１の各々は、汎用プロセッサと、ソフトウェアプログラム又はインストラクションが格納されたメモリとによって実現されてもよい。この場合、ソフトウェアプログラム又はインストラクションが実行されたときに、プロセッサは、生成部２１、処理部３６、制御部４８及び判定部５１として機能する。
【産業上の利用可能性】
【０１１３】
本開示に係る病原体情報管理システムは、例えば施設等への利用者の入場を管理するための入場管理システム等に適用することができる。
【符号の説明】
【０１１４】
２，２Ａ  病原体情報管理システム
４  病原体センサ
６，６Ａ  情報端末
８  制御機器
１０  利用者
１２  入門ゲート
１４  カメラ
１６  呼気採取部
１８  検出部
２０，５０  取得部
２１  生成部
２２，３８，５２  表示部
２４，４０，５４  入力部
２６，４２，５６  通信部
２８  筐体
３０  吸入口
３２，４６  撮影部
３４  記憶部
３６  処理部
４４  病原体情報画面
４４ａ  画像
４４ｂ，４４ｃ，４４ｄ，４４ｅ，４４ｆ，４４ｇ  情報
４８  制御部
５１  判定部
５８  サーバ装置
６０  記憶処理部
【図１】
2020080083.tif 000003
【図２】
2020080083.tif 000004
【図３】
2020080083.tif 000005
【図４】
2020080083.tif 000006
【図５】
2020080083.tif 000007
【図６】
2020080083.tif 000008
【図７】
2020080083.tif 000009
【図８】
2020080083.tif 000010